(57)【要約】【課題】コイルスプリングの脱落をより確実に防ぐことができ、また、見栄えを良好にすることができるクリップ取付構造を提供する。【解決手段】クリップ部材とクリップ被取付部材である尾冠２０との間に両者を離反する方向に付勢するコイルスプリングが介挿されている。尾冠２０の本体２０ａの外面には、クリップ部材に向かって包囲部２０ｃが延設されており、包囲部２０ｃは、コイルスプリングの中心軸に沿って並んだ第１包囲部２０ｍと第２包囲部２０ｎとを備え、第１包囲部２０ｍは、コイルスプリングの端部の一方側を包囲すると共に残りの部分を開放し、第２包囲部２０ｎは、コイルスプリングの端部の一方側と対向する他方側を包囲すると共に残りの部分を開放し、第１包囲部２０ｍと第２包囲部２０ｎとによってコイルスプリングの端部の全周を包囲する。【選択図】図３
2010284945.tif 000002
【特許請求の範囲】
【請求項１】
クリップ被取付部材とクリップ部材とを備え、クリップ部材がクリップ被取付部材に対して揺動可能に連結される筆記具のクリップ取付構造において、
クリップ部材とクリップ被取付部材との間には両者を離反する方向に付勢するコイルスプリングが介挿されており、クリップ部材またはクリップ被取付部材の少なくとも一方の面には、いずれか他方に向かって包囲部が延設されており、該包囲部は、コイルスプリングの中心軸に沿って並んだ第１包囲部と第２包囲部とを備え、第１包囲部は、コイルスプリングの端部の一部周囲を包囲すると共に残りの周囲部分を開放し、第２包囲部は、コイルスプリングの端部の少なくとも別の一部周囲を包囲すると共に残りの周囲部分を開放し、第１包囲部と第２包囲部とによってコイルスプリングの端部の全周を包囲することを特徴とする筆記具のクリップ取付構造。
【請求項２】
前記コイルスプリングの端部の周囲部分を開放する前記第１包囲部と前記第２包囲部のそれぞれの開放された部分は、コイルスプリングの中心軸に対して互いに対向する側に設けられることを特徴とする請求項１記載のクリップ取付構造。
【請求項３】
前記クリップ被取付部材と前記クリップ部材のいずれか一方に形成された一対の軸部がいずれか他方に形成された一対の受孔にそれぞれ挿入されてクリップ被取付部材とクリップ部材とが揺動可能に連結されており、前記第１包囲部と前記第２包囲部のそれぞれの開放された部分の向きは、前記一対の軸部の突出方向または一対の受孔の孔軸方向に一致することを特徴とする請求項２記載のクリップ取付構造。
【請求項４】
前記包囲部は、前記軸部または前記受孔が形成された連結部に連続して形成されることを特徴とする請求項３記載のクリップ取付構造。
【請求項５】
前記クリップ部材または前記クリップ被取付部材のいずれか他方には、コイルスプリングの他方の端部を包囲する環状リブが形成されることを特徴とする請求項１ないし４のいずれか１項に記載のクリップ取付構造。
【発明の詳細な説明】
【技術分野】
【０００１】
本発明は、クリップ被取付部材とクリップ部材とを備え、クリップ部材がクリップ被取付部材に対して揺動可能に連結される筆記具のクリップ取付構造に関する。
【背景技術】
【０００２】
従来、この種のクリップ取付構造としては多数の構造のものが知られており、クリップ部材とクリップ被取付部材との間に、両者を離反する方向に付勢するためのコイルスプリングが介挿されたものも多く知られている。例えば、特許文献１記載のものは、外筒の後端部がある程度の肉厚部となっており、この肉厚部に設けた縦孔にクリップ部材の後端部の脚部が離脱しないように装着されており、脚部と縦孔底部との間にコイルスプリングを介在させている。
【０００３】
しかしながら、特許文献１の構成では、筆記具の後端部にクリップ部材のための肉厚部を設けなければならず、筆記具の内部空間の利用が制約される、という問題がある。
【０００４】
そこで、本出願人は、特許文献２で、筆記具の内部の空間を占領することなく、クリップ部材及びそのためのコイルスプリングを取り付けることができるクリップ取付構造を提案している。このクリップ取付構造は、クリップ部材とクリップ被取付部材との間に両者を離反する方向に付勢するコイルスプリングが介挿されており、コイルスプリングの一端には、クリップ被取付部材の外面に設けられた突起が挿入され、コイルスプリングの他端はクリップ部材のクリップ被取付部材側に向いた面に設けられた凹部に挿入されている。
【先行技術文献】
【特許文献】
【０００５】
【特許文献１】実公平５−４５５１７号公報
【特許文献２】実用新案登録第３１３９４０１号公報
【発明の概要】
【発明が解決しようとする課題】
【０００６】
本発明は、特許文献２を改良し、コイルスプリングの脱落をより確実に防ぐことができ、また、見栄えを良好にすることができるクリップ取付構造を提供することをその目的とする。
【課題を解決するための手段】
【０００７】
上記目的を達成するために本発明のうち請求項１記載の発明は、クリップ被取付部材とクリップ部材とを備え、クリップ部材がクリップ被取付部材に対して揺動可能に連結される筆記具のクリップ取付構造において、
クリップ部材とクリップ被取付部材との間には両者を離反する方向に付勢するコイルスプリングが介挿されており、クリップ部材またはクリップ被取付部材の少なくとも一方の面には、いずれか他方に向かって包囲部が延設されており、該包囲部は、コイルスプリングの中心軸に沿って並んだ第１包囲部と第２包囲部とを備え、第１包囲部は、コイルスプリングの端部の一部周囲を包囲すると共に残りの周囲部分を開放し、第２包囲部は、コイルスプリングの端部の少なくとも別の一部周囲を包囲すると共に残りの周囲部分を開放し、第１包囲部と第２包囲部とによってコイルスプリングの端部の全周を包囲することを特徴とする。
【０００８】
請求項２記載の発明は、請求項１記載のものにおいて、前記コイルスプリングの端部の周囲部分を開放する前記第１包囲部と前記第２包囲部のそれぞれの開放された部分は、コイルスプリングの中心軸に対して互いに対向する側に設けられることを特徴とする。
【０００９】
請求項３記載の発明は、請求項２記載のものにおいて、前記クリップ被取付部材と前記クリップ部材のいずれか一方に形成された一対の軸部がいずれか他方に形成された一対の受孔にそれぞれ挿入されてクリップ被取付部材とクリップ部材とが揺動可能に連結されており、前記第１包囲部と前記第２包囲部のそれぞれの開放された部分の向きは、前記一対の軸部の突出方向または一対の受孔の孔軸方向に一致することを特徴とする。
【００１０】
請求項４記載の発明は、請求項３記載のものにおいて、前記包囲部は、前記軸部または前記受孔が形成された連結部に連続して形成されることを特徴とする。
【００１１】
請求項５記載の発明は、請求項１ないし４のいずれか１項に記載のものにおいて、前記クリップ部材または前記クリップ被取付部材のいずれか他方には、コイルスプリングの他方の端部を包囲する環状リブが形成されることを特徴とする。
【発明の効果】
【００１２】
本発明によれば、包囲部がコイルスプリングの中心軸に沿って並んだ第１包囲部と第２包囲部とを備え、第１包囲部は、コイルスプリングの端部の一部周囲を包囲すると共に残りの部分を開放し、第２包囲部は、コイルスプリングの端部の少なくとも別の一部周囲を包囲すると共に残りの部分を開放し、第１包囲部と第２包囲部とによってコイルスプリングの端部の全周を包囲するようにしたために、包囲部によって、コイルスプリングの脱落を確実に防ぐことができる。
【００１３】
また、包囲部によってコイルスプリングの端部をある程度覆うことができるため、機械部品であるコイルスプリングが外部に露出することを抑制することができて、見栄えを良好にすることができる。
【００１４】
さらに、第１包囲部と第２包囲部の開放された部分が互いに対向する側に設けられることで、包囲部の成形を、該開放された部分に相当する部分を通過し互いに接離方向にスライドするスライドブロックによって成形することができるようになる。
【００１５】
さらに、クリップ被取付部材とクリップ部材のいずれかに形成された軸部の突出方向または受孔の孔軸方向が、前記第１包囲部と前記第２包囲部のそれぞれの開放された部分の向きと一致することで、互いに接離方向にスライドするスライドブロックによって、軸部または受孔と、第１包囲部及び第２包囲部とを一緒に成形することができるようになり、その成形を容易にすることができる。
【００１６】
さらに、包囲部を連結部と連続して形成することで、クリップ取付構造の全体の寸法を小さくすることができる。
【００１７】
さらに、コイルスプリングの他方の端部を包囲する環状リブを形成することで、コイルスプリングの脱落を一層確実に防ぐことができる。
【図面の簡単な説明】
【００１８】
【図１】本発明の筆記具のクリップ取付構造が実現された筆記具の全体を表す縦断面図である。
【図２】クリップ被取付部材としての尾冠の（ａ）は側面図、（ｂ）は平面図、（ｃ）は縦断面図、（ｄ）は正面図、（ｅ）は要部背面図である。
【図３】クリップ被取付部材としての尾冠の斜視図である。
【図４】クリップ部材の（ａ）は側面図、（ｂ）は断面図である。
【図５】本発明の筆記具のクリップ取付構造の拡大図であり、（ａ）は常時、（ｂ）はクリップ部材の揺動時を表す。
【図６】クリップ被取付部材としての尾冠とスライドブロックとの関係を示す説明図であり、（ａ）はスライドブロックが互いに離反した状態、（ｂ）はスライドブロックが互いに接近した状態である。
【発明を実施するための形態】
【００１９】
以下、図面を用いて本発明の実施の形態を説明する。尚、本発明は下記実施形態に限定
されるものではない。
【００２０】
図１は本発明の筆記具のクリップ取付構造が実現された筆記具の全体を表す縦断面図である。この例の筆記具１０は、シャープペンシルであるが、これに限るものではなく、ボールペンといった任意の筆記具に適用することができる。そして、筆記具１０は、先軸１１と、先軸１１の後端に螺着される後軸１２と、先軸１１の先端に螺着される先具１４と、先軸１１の前部の周囲に設けられる筒状弾性グリップ１６と、先軸１１内に配設される筆記体本体である芯繰り出し機構１８とを備える。芯繰り出し機構１８は公知の任意の構成を適用可能であり、その説明を省略する。
【００２１】
後軸１２の後端にはクリップ被取付部材としての尾冠２０が取り付けられる。尾冠２０は、合成樹脂材料（例えば、ポリカーボネート樹脂材料、ＡＢＳ樹脂材料）を成形することによって製造され、後軸１２の後端に取り付けられる。尾冠２０が後軸１２に取り付けられた状態において、筆記体本体の一部である芯タンク１９は、後軸１２の内部をほぼ貫通しており、そして、芯タンク１９の後端に装着された消しゴム受台２１が後軸１２及び尾冠２０の後端から突出しており、消しゴム受台２１には消しゴムが挿入される。
【００２２】
尾冠２０は、図２及び図３に示したように、大まかに、後軸１２の後端の外周面に取り付けられるリング状の本体２０ａと、本体２０ａの外周面から外径方向に拡張される連結部２０ｂと、連結部２０ｂの後側に連続して本体２０ａの外周面から外径方向に延設される包囲部２０ｃとを有する。
【００２３】
本体２０ａは、図２（ｄ）及び（ｅ）に示したように、その内周面に後軸１２と嵌合する多角形部２０ｄが形成されると共に、後軸１２と嵌合するための小突起２０ｅが形成される。本体２０ａ内に後軸１２の後部が圧入されて、本体２０ａの前端が後軸１２の外周面に形成された段部１２ａ（図１）に当接し、多角形部２０ｄが後軸１２の外周面に形成された多角形部１２ｂ（図１）と嵌合し、且つ小突起２０ｅが後軸１２の外周面に係り合うことで、尾冠２０は後軸１２に固定的に取り付けられる。
【００２４】
連結部２０ｂは、図２（ｃ）及び（ｄ）に示したように、横向きコ字状横断面をなしたコ字状部２０ｆを有しており、本体２０ａの中心孔とコ字状部２０ｆの内部が連通している。そして、コ字状部２０ｆの両側面からは、一対の円柱軸部２０ｈ、２０ｈが外側に突設される。円柱軸部２０ｈ、２０ｈは、その突出端の上側がやや切り欠かれた形状となっている。
【００２５】
連結部２０ｂの後部には、包囲部２０ｃが連続して形成される。包囲部２０ｃは、本体２０ａ側に設けられた第１包囲部２０ｍと、第１包囲部２０ｍよりも上側、即ちクリップ部材側に設けられる第２包囲部２０ｎとからなる。
【００２６】
より詳細には、第１包囲部２０ｍ及び第２包囲部２０ｎのそれぞれの平面視での形状は、それぞれ内周面が約半円弧状をなし、外周面が約コ字形状をなしており、互いの向きが前後で反対向きとなっている。これによって、第１包囲部２０ｍと第２包囲部２０ｎを合わせた平面視での形状は、内周面が円状となり、外周面は連結部２０ｂと一体になった矩形形状となっている。そして、第１包囲部２０ｍと第２包囲部２０ｎのそれぞれのコ字形状の端部同士が互いに繋がっている。また、第１包囲部２０ｍと第２包囲部２０ｎのそれぞれの開放された部分２０ｍ１、２０ｎ１は、互いに対向する側に設けられ、その向きは、前記円柱軸部の突出方向とそれぞれ一致しており、以下で説明するクリップ部材２２の揺動中心軸に一致している。
【００２７】
クリップ部材２２は、大まかに、クリップ板部２２ａと、クリップ板部２２ａの両側縁からそれぞれ後軸１２及び尾冠２０の方に向かって延設されるクリップ側板部２２ｂとを有している。各クリップ側板部２２ｂには、前記各円柱軸部２０ｈを受ける受孔２２ｃが形成され、受孔２２ｃに連なるようにして溝部２２ｆが形成されている。また、クリップ板部２２ａの内面には、受孔２２ｃよりも後方の位置において、リング状の環状リブ２２ｄが形成される。そして、クリップ板部２２ａの後部は、上方に凸となった湾曲部２２ｅとなっている。
【００２８】
クリップ部材２２の受孔２２ｃに、対応する尾冠２０の円柱軸部２０ｈが嵌合することで、クリップ部材２２が、尾冠２０に対して揺動可能に連結され、後軸１２の軸方向に沿って後軸１２の外側に配設される。尚、円柱軸部２０ｈの突出端の上側が切り欠かれており、クリップ部材２２には受孔２２ｃに連なって溝部２２ｆが形成されていることから、円柱軸部２０ｈが受孔２２ｃに挿入される際に、切り欠かれた円柱軸部２０ｈが溝部２２ｆに沿って受孔２２ｃにまで移動することで、その挿入作業を円滑に行うことができる。
【００２９】
常時はクリップ部材２２の先端を後軸１２の外面に押し付けてこれによって両者の間に挟着力が発生するようにするために、クリップ部材２２と尾冠２０との間にはコイルスプリング２４が介挿されており、コイルスプリング２４は、連結部２０ｂよりも後方に配置されて、尾冠２０とクリップ部材２２を離反する方向に付勢する。
【００３０】
コイルスプリング２４は、その一端が尾冠２０の包囲部２０ｃに包囲され、その他端がクリップ部材２２の環状リブ２２ｄ内に挿入されることで、尾冠２０とクリップ部材２２との間に配置される。コイルスプリング２４の両端が包囲部２０ｃと環状リブ２２ｄによって拘束される。
【００３１】
より詳細には、第１包囲部２０ｍは、コイルスプリング２４の端部の少なくとも一方面側を包囲し、開放された部分２０ｍ１によってコイルスプリング２４の端部の残りの部分を開放し、第２包囲部２０ｎは、コイルスプリング２４の端部の少なくとも他方面側を包囲し、開放された部分２０ｎ１によってコイルスプリング２４の端部の残りの部分を開放し、第１包囲部２０ｍ及び第２包囲部２０ｎとでコイルスプリング２４の端部の全周を包囲するようになっている。
【００３２】
以上のように構成されるクリップ取付構造においては、コイルスプリング２４によって常時は、図５（ａ）に示すように、クリップ部材２２の先端が後軸１２に押し付けられる方向へと付勢されている。そして、クリップ部材２２と後軸１２との間に物を挟む場合には、クリップ部材２２の後端の湾曲部２２ｅを押すと、コイルスプリング２４の付勢力に抗してクリップ部材２２が揺動し、クリップ部材２２の先端と後軸１２との間が開くために、その間に物を挿入して、両者によって物を挟み付けることができる。
【００３３】
包囲部２０ｃ及び環状リブ２２ｄは、クリップ部材２２が揺動した時に、互いに干渉し合わない程度の高さとしておくと好ましい。包囲部２０ｃによってコイルスプリングの一端部をある程度包囲することで、環状リブ２２ｄの高さは低いものとすることができる。
【００３４】
このように、コイルスプリング２４が包囲部２０ｃに包囲されることで、確実にコイルスプリング２４の脱落を防止することができると共に、包囲部２０ｃがコイルスプリング２４のかなりの部分を包囲することができるために、機械部品であるコイルスプリング２４が外部に露出することを抑制することができて、見栄えを良好にすることができる。さらに湾曲部２２ｅが湾曲しているために、コイルスプリング２４が一層見えにくい形状となる。
【００３５】
さらには包囲部２０ｃを第１包囲部２０ｍと第２包囲部２０ｎとから構成することで、その包囲部２０ｃを備えた尾冠２０自体の成形を容易にすることができる。図６はその説明図であり、第１包囲部２０ｍと第２包囲部２０ｎのそれぞれの開放された部分２０ｍ１、２０ｎ１が互いに対向しているために、該開放された部分２０ｍ１、２０ｎ１を成形するためのスライドブロックＳ１、Ｓ２が、該開放された部分２０ｍ１、２０ｎ１に相当する部分を通過して互いに接離方向にスライド移動することができる。
【００３６】
特に、第１包囲部２０ｍと第２包囲部２０ｎのそれぞれの開放された部分２０ｍ１、２０ｎ１の向きが円柱軸部２０ｈの突出方向に一致しているために、同じスライドブロックＳ１、Ｓ２によって円柱軸部２０ｈと包囲部２０ｃとを成形することができ、金型を複雑にすることなく、容易に成形することができる。連結部２０ｂの円柱軸部２０ｈも両側に互いに反対側に突出しているために、これらの円柱軸部２０ｈによるアンダーカット部分を成形するためのスライドブロックＳ１、Ｓ２は円柱軸部２０ｈに成形される部分の両側から互いに接離方向にスライドする必要があるからである。
【００３７】
また、包囲部２０ｃが連結部２０ｂに連続して形成されるために、クリップ取付構造の全体の寸法を小さくすることができる。
【００３８】
また、コイルスプリング２４が後軸１２及び尾冠２０の外側に配設されるために、後軸１２及び尾冠２０の内部空間を有効利用することができ、この場合には、芯タンク１９が後軸１２を貫通して配設されるために、芯タンク１９の長さを大きく確保することができると共に芯タンク１９への芯の補充を筆記具１０の後方から行うことができる。
【００３９】
尚、以上の例では、包囲部がクリップ被取付部材である尾冠２０に形成されていたが、これに限るものではなく、後軸または先軸といった軸筒をクリップ被取付部材とすることも可能である。
【００４０】
また、以上の例では、包囲部がクリップ被取付部材に設けられていたが、これに限るものではなく、包囲部をクリップ部材に設けることも可能であり、クリップ被取付部材及びクリップ部材の両方に設けることも可能である。
【００４１】
また、以上の例では、クリップ被取付部材の連結部に軸部が形成され、クリップ部材に受孔が形成されていたが、反対に、クリップ被取付部材の連結部に受孔が形成され、クリップ部材に軸部が形成されていてもよい。または、クリップ部材の連結部に軸部が形成され、クリップ部材の連結部に受孔が形成されていてもよい。いずれの場合でも、第１包囲部と第２包囲部の開放された部分の向きは、受孔の孔軸方向または軸部の突出方向と一致するようにしておくと、成形が容易となり好適である。また、連結部に連続して包囲部が形成されていると好適であるが、これに限るものではなく、包囲部と連結部は分離して形成されていてもよい。
【符号の説明】
【００４２】
１０  筆記具
２０  尾冠（クリップ被取付部材）
２０ｂ  連結部
２０ｃ  包囲部
２０ｍ  第１包囲部
２０ｍ１  開放された部分
２０ｎ  第２包囲部
２０ｎ１  開放された部分
２４  コイルスプリング
【図１】
2010284945.tif 000003
【図２】
2010284945.tif 000004
【図３】
2010284945.tif 000005
【図４】
2010284945.tif 000006
【図５】
2010284945.tif 000007
【図６】
2010284945.tif 000008